(57)【要約】      （修正有）【課題】ネクタイ着用時のネクタイの大剣の両角部及び、先端部のすり減りを防止することと、大剣のすり減った部分をずれることなく隠すことと、ネクタイ保護具及び保護具の脱落を防止することと、誰でも着用できるファッション性と、お金持ちのステータス性とを兼ね備えた材質、デザインとし、装着しやすいものとする。【解決手段】ネクタイのすり減りを防止したい部分及び、すり減った部分を本具で挟み込み、その部分を覆い隠す。ずれ防止表突起とずれ防止裏突起でネクタイ保護具及び保護具のずれ防止する。止め具を小剣通しなどに取り付けか、本具をネクタイに縫いつけることで脱落を防止する。本具の材質、デザイン、形状、色を準備して誰でも装着しやすいものとする【選択図】図１
2011231443.tif 000002
【特許請求の範囲】
【請求項１】
ネクタイ挟み表部材と、
ネクタイ挟み裏部材の一方の面に、ずれ防止裏突起を備えた前記ネクタイ挟み裏部材と、
前記ネクタイ挟み表部材の面と前記ネクタイ挟み裏部材の前記ずれ防止裏突起のある面が向き合うように、前記ネクタイ挟み表部材と前記ネクタイ挟み裏部材を接合するためのネクタイ挟み接合部材とを備えたネクタイ保護具及び保護具において、
前記ずれ防止裏突起と前記ネクタイ挟み表部材の隙間は前記ネクタイ挟み表部材と前記ネクタイ挟み裏部材の隙間より狭い隙間とすることと、
前記ネクタイ挟み表部材と前記ネクタイ挟み裏部材の隙間にネクタイを挟み込むことを特徴とするネクタイ保護具及び保護具。
【請求項２】
前記ずれ防止裏突起は、前記ネクタイ挟み表部材の前記ずれ防止裏突起に向き合う面より、摩擦抵抗が大きい状態の面をなしていることを特徴とする請求項１記載のネクタイ保護具及び保護具。
【請求項３】
前記ネクタイ挟み裏部材の前記ずれ防止裏突起を備えた面は、前記ネクタイ挟み裏部材と向き合う前記ネクタイ挟み表部材の面より、摩擦抵抗が大きい状態の面をなしていることを特徴とする請求項１記載のネクタイ保護具及び保護具。
【請求項４】
前記ずれ防止裏突起は、かえしを設けたことを特徴とする請求項１記載のネクタイ保護具及び保護具。
【請求項５】
前記ネクタイ挟み裏部材に対して、脱落防止チェーンを取り付けたことと、
前記脱落防止チェーンの片方の先端に止め具を取り付けたことを特徴とする請求項１から４のいずれかに記載のネクタイ保護具及び保護具。
【請求項６】
前記ネクタイ挟み裏部材に対して、縫いつけ用糸穴を設けたことを特徴とする請求項１から５のいずれかに記載のネクタイ保護具及び保護具。
【請求項７】
前記ネクタイ挟み表部材に対して、ずれ防止表突起を設けたことを特徴とする請求項１から６のいずれかに記載のネクタイ保護具及び保護具。
【請求項８】
本発明は、ネクタイ以外の擦れを防止したいものや擦れを覆い隠したいものに対しても装着可能なことを特徴とする請求項１から７のいずれかに記載のネクタイ保護具及び保護具。
【発明の詳細な説明】
【技術分野】
【０００１】
本発明は、例えば、ネクタイの大剣を摩擦によるすり減りから保護する、また、ネクタイの大剣のすり減った部分を覆い隠し保護するためのネクタイ保護具及び保護具に関する。
【背景技術】
【０００２】
特許文献１は、ネクタイの結び目装飾具としてネクタイの結び目部分を保護する方法としてあるが、この方法は、結び目部分のみを保護するものであった。
【先行技術文献】
【特許文献】
【０００３】
【特許文献１】特開平１１−３５０２２１号公報
【発明の概要】
【発明が解決しようとする課題】
【０００４】
特許文献１では、ネクタイの結び目装飾具としてネクタイの結び目部分を保護する方法であって、ネクタイの大剣の両角部及び、先端部が、摩擦によりネクタイが擦り減ってしまうことは保護できなかった。また、既に擦り減ってしまったネクタイの特に大剣の両角部及び、先端部を覆い隠すものはなかった。
【０００５】
ネクタイの大剣の両角部及び、先端部を擦り減りから、大剣の表側の面に傷つけずに保護すること。
【０００６】
ネクタイの大剣の両角部及び、先端部を大剣の表側の面に傷つけずに覆い隠すこと。
【０００７】
ネクタイ保護具及び保護具のずれを防止すること。
【０００８】
ネクタイ保護具及び保護具の脱落及び、紛失を防止すること。
【０００９】
ネクタイ保護具及び保護具の装着時に装着しやすいこと。
【００１０】
更に、上記要求を満し、アクセサリや装飾品として装着できる今までと異なる装飾品であること。
【００１１】
更に、上記要求を満し、どのようなネクタイにも装着できること。
【００１２】
更に、上記要求を満し、装飾品として金持ちとしてのステータスになること。
【００１３】
更に、上記要求を満たし、ネクタイ以外のものをすり減りから保護すること。また、既にすり減ってしまった部分を覆い隠すこと。
【課題を解決するための手段】
【００１４】
本発明は上記課題を達成するために、以下の構成を有している。以下は、ネクタイを例として説明する。
【００１５】
請求項１から７のいずれかに記載のネクタイ保護具及び保護具は、
ネクタイ挟み表部材と、
ネクタイ挟み裏部材の一方の面に、ずれ防止裏突起を備えたネクタイ挟み裏部材と、
ネクタイ挟み表部材の面とネクタイ挟み裏部材のずれ防止裏突起のある面が向き合うように、ネクタイ挟み表部材とネクタイ挟み裏部材を接合するためのネクタイ挟み接合部材とを備えたネクタイ保護具及び保護具において、
ずれ防止裏突起とネクタイ挟み表部材の隙間はネクタイ挟み表部材とネクタイ挟み裏部材の隙間より狭い隙間とすることと、
ネクタイ挟み表部材とネクタイ挟み裏部材の隙間にネクタイを挟み込むことを特徴として構成されたものである。
【００１６】
請求項１記載に加えて、請求項２記載のずれ防止裏突起は、ネクタイ挟み表部材のずれ防止裏突起に向き合う面より、摩擦抵抗が大きい状態の面をなしたものである。
【００１７】
請求項１から２のいずれかの記載に加えて、ネクタイ挟み裏部材の請求項３記載のずれ防止裏突起を備えた面は、ネクタイ挟み裏部材と向き合うネクタイ挟み表部材の面より、摩擦抵抗が大きい状態の面をなしたものである。
【００１８】
請求項１から３のいずれかの記載に加えて、請求項４記載のずれ防止裏突起は、かえしを設けて構成されたものである。
【００１９】
請求項１から４のいずれかの記載に加えて、請求項１記載のネクタイ挟み裏部材に、脱落防止チェーンを取り付け、脱落防止チェーンの片方の先端に止め具を取り付けて構成されたものである。
【００２０】
請求項１から５のいずれかの記載に加えて、請求項１記載のネクタイ挟み裏部材に、縫いつけ用糸穴を設けて構成されたものである。
【００２１】
請求項１から６のいずれかの記載に加えて、請求項１記載のネクタイ挟み表部材に対して、ずれ防止表突起を設けて構成されたものである。
【００２２】
請求項１から７のいずれかの記載に加えて、ネクタイ以外の擦れを防止したいものや擦れを覆い隠したいものに対しても装着可能なように構成されたものである。
【００２３】
ネクタイ保護具及び保護具の材質は、プラスチックの他、高価な金属や宝石や七宝焼きや漆塗りなどで構成することが考えられる。
【００２４】
ネクタイ挟み表部材または、ネクタイ挟み裏部材は、様々な色、様々な形状、様々なサイズ、様々なデザインで構成することが考えられる。
【００２５】
ネクタイ挟み表部材のずれ防止裏突起と向き合わない面、すなわちネクタイ保護具及び保護具装着時の表側となる面に、多種のデザインや多種の金属や多種の宝石や七宝焼きや漆塗りなどを取り付けて構成することが考えられる。
【発明の効果】
【００２６】
本発明によれば以下の効果を得ることができる。以下の効果は、ネクタイを例として説明する。
【００２７】
請求項１記載のネクタイ保護具及び保護具によれば、ネクタイの大剣のすり減りやすい部分、特に大剣の両角部及び、先端部を表と裏から挟み込むことでネクタイの大剣の両角部及び、先端部が、例えば、衣類や家具や皮膚などと直接擦れなくなり、ネクタイが摩擦によるすり減りから保護されることと、ネクタイの大剣のすり減った両角部及び、先端部を覆い隠すことができることで、ネクタイを長期間使用することが可能となる。また、ずれ防止裏突起とネクタイ挟み表部材の隙間がクタイ挟み表部材とネクタイ挟み裏部材の隙間より狭くなっていることで、ネクタイの挟みこんだ部分の局部を強く挟み、ネクタイ保護具及び保護具がネクタイの大剣の装着場所からずれにくくなる。ずれないことでネクタイの擦れを防止したい部分をずれることなく保護できることと、ネクタイの擦れた部分をずれることなく覆い隠すことができることと、脱落も防止することが可能となる。
【００２８】
請求項２記載のネクタイ保護具及び保護具によれば、ずれ防止裏突起は、ネクタイ挟み表部材のずれ防止裏突起に向き合う面より摩擦抵抗が大きい状態の面をなしていることで、大剣の裏側に接触する面の摩擦抵抗が拡大し、ネクタイ保護具及び保護具がネクタイの大剣の装着場所からずれにくくなり脱落を防止することと、大剣の表側の面には、ネクタイ挟み表部材が接触するために大剣の表側の面には、傷つけずに装着することが可能となる。
【００２９】
請求項３記載のネクタイ保護具及び保護具によれば、ネクタイ挟み裏部材のずれ防止裏突起を備えた面は、ネクタイ挟み裏部材と向き合うネクタイ挟み表部材の面より摩擦抵抗が大きい状態の面をなしていることで、大剣の裏側に接触する面の摩擦抵抗が拡大し、ネクタイ保護具及び保護具がネクタイの大剣の装着場所からずれにくくなり脱落を防止することが可能となり、大剣の表側の面には、ネクタイ挟み表部材が接触するために大剣の表側の面には、傷つけずに装着することが可能となる。
【００３０】
請求項４記載のネクタイ保護具及び保護具によれば、かえしを設けることで、ネクタイ保護具及び保護具の装着において、ネクタイの大剣の根元方向へは、抵抗が小さく動きやすいことで装着しやすく、大剣の先端方向へは、抵抗が大きく動きにくいことで脱落しにくくすることが可能となる。
ずれ防止裏突起におけるかえしとは、のこぎりの歯のように押し方向には抵抗が小さく動きやすいが、引き方向には抵抗が大きく動きにくい機能を備えたものの名称を意味する。すなわち、斜円錐や頂点が底面の角もしくは底面の外側にある多角推をなして、頂点のある方向へは、抵抗が小さく動きやすく、頂点の反対の方向へは、抵抗が大きく動きにくい機能を備えたものの名称を意味する。
【００３１】
請求項５記載のネクタイ保護具及び保護具によれば、脱落防止チェーンとその先端に止め具があり、止め具をネクタイの小剣通しまたは、シャツのボタンなどに止めることで脱落、紛失を防止することが可能となる。
【００３２】
請求項６記載のネクタイ保護具及び保護具によれば、ネクタイ挟み裏部材に対して、縫いつけ用糸穴を設けたことで、ネクタイの大剣の裏側に縫い付けることができ、脱落、紛失を防止することが可能となる。
【００３３】
請求項７記載のネクタイ保護具及び保護具によれば、ネクタイ挟み表部材に対して、ずれ防止表突起を設けたことで、ずれ防止表突起とずれ防止裏突起が備わることになる。ずれ防止表突起とずれ防止裏突起が接触しないようにずれ防止表突起とずれ防止裏突起をずらして配置し、ずれ防止表突起とネクタイ挟み裏部材の間に隙間を設け、ずれ防止裏突起とネクタイ挟み表部材の間にも隙間を設けることで、ネクタイ保護具及び保護具をネクタイの大剣に装着した場合に、ずれ防止表突起のある部分ではネクタイ挟み裏部材側に寄り、ずれ防止裏突起のある部分ではネクタイ挟み表部材側に寄るようにでき、ネクタイの断面がＳ字型になり摩擦抵抗が拡大し、ネクタイ保護具及び保護具がネクタイの大剣の装着場所からずれにくくすることが可能となる。
【００３４】
更に、ずれ防止裏突起は、材質としては摩擦抵抗が大きい材質、形状としては断面が半円以外に三角や多角形など種類を増やし、数を増やすことで、どのような材質、厚みのネクタイにも装着することが可能となる。
【００３５】
更に、ネクタイ挟み接合部材は、弾力のあるものとすることで、ネクタイの大剣の端をスライドさせることなく、ネクタイ挟み表部材とネクタイ挟み裏部材の隙間を広げてネクタイを挟み込むことが可能となる。
【００３６】
更に、ネクタイ保護具及び保護具は、ネクタイの大剣のサイズや擦れ部のサイズに合わせて、サイズを準備し、隙間幅はネクタイの厚みに合わせて間隔幅を準備し、材質は重さが軽く、適度に弾力があり、コストが安く、加工がしやすいためプラスチック類などとし、種類を増やすことで、どのような材質や厚みのネクタイにも装着することが可能となる。
【００３７】
更に、ネクタイ保護具及び保護具の材質は、プラスチックの他、高価な金属や宝石や七宝焼きや漆塗りを使用することで金持ちとしてのステータスとすることが可能となる。
【００３８】
更に、ネクタイ保護具及び保護具の色は、例えば、有色や透明や半透明など、種類を増やすことで、アクセサリや装飾品にもなり、誰でも、どのような色柄のネクタイにも装着することが可能となる。
【００３９】
更に、ネクタイ挟み表部材の形状は、例えば、円形や多角形や動物や植物や人気キャラクタや絵やブランド名などが描かれたものや、ドーム型や宝石のカットのような立体的な形状など種類を増やすことでどのような色柄のネクタイにも装着することが可能となる。
【００４０】
更に、ネクタイ挟み表部材のネクタイ挟み表部材と向き合う面、すなわちネクタイ保護具及び保護具の装着時の表となる面には、多種のデザインや多種の金属や多種の宝石や七宝焼きや漆塗りを取り付けることで装飾品としての価値を上げ、金持ちとしてのステータスとすることが可能となる。
【図面の簡単な説明】
【００４１】
【図１】本発明のネクタイ保護具及び保護具の一例の基本的構成を示した斜視図である。
【図２】本発明のネクタイ保護具及び保護具の一例の基本的構成を示した正面図１である。
【図３】本発明のネクタイ保護具及び保護具の一例の基本的構成を示した下面図１である。
【図４】本発明のネクタイ保護具及び保護具の一例の基本的構成を示した右側面図１である。
【図５】図３の線ｅ−ｅ´に沿って切り、イからの断面図１である。
【図６】図３の線ｅ−ｅ´に沿って切り、ロからの断面図２である。
【図７】ネクタイの大剣部にネクタイ保護具及び保護具を装着した実施例の正面図１である。
【図８】ネクタイの大剣部にネクタイ保護具及び保護具を装着した実施例の右側面図１である。
【図９】ネクタイの大剣部にネクタイ保護具及び保護具を装着した実施例の正面図２である。
【図１０】ネクタイの大剣部にネクタイ保護具及び保護具を装着した実施例の正面図３である。
【図１１】本発明のネクタイ保護具及び保護具の一例の構成を示した正面図２である。
【図１２】本発明のネクタイ保護具及び保護具の一例の構成を示した正面図３である。
【図１３】本発明のネクタイ保護具及び保護具の一例の構成を示した正面図４である。
【図１４】本発明のネクタイ保護具及び保護具の一例の構成を示した下面図２である。
【図１５】本発明のネクタイ保護具及び保護具の一例の構成を示した右側面図２である。
【図１６】本発明のネクタイ保護具及び保護具の一例の構成を示した正面図５である。
【図１７】本発明のネクタイ保護具及び保護具の一例の構成を示した正面図６である。
【図１８】本発明のネクタイ保護具及び保護具の一例の構成を示した背面図１である。
【図１９】本発明のネクタイ保護具及び保護具の一例の構成を示した正面図６である。
【図２０】本発明のネクタイ保護具及び保護具の一例の構成を示した下面図３である。
【図２１】本発明のネクタイ保護具及び保護具の一例の構成を示した右側面図３である。
【図２２】ネクタイの大剣部にネクタイ保護具及び保護具を装着した実施例の背面図１である。
【図２３】ネクタイの大剣部にネクタイ保護具及び保護具を装着した実施例の背面図２である。
【図２４】本発明のネクタイ保護具及び保護具の一例の構成を示した正面図６である。
【図２５】本発明のネクタイ保護具及び保護具の一例の構成を示した下面図５である。
【図２６】本発明のネクタイ保護具及び保護具の一例の構成を示した右側面図４である。
【図２７】本発明のネクタイ保護具及び保護具の一例の構成を示した正面図７である。
【図２８】本発明のネクタイ保護具及び保護具の一例の構成を示した下面図６である。
【図２９】本発明のネクタイ保護具及び保護具の一例の構成を示した右側面図５である。
【発明を実施するための形態】
【００４２】
本発明を実施するための形態として、ネクタイを例として説明する。
【００４３】
本発明のネクタイ保護具及び保護具は、ネクタイ挟み表部材と、ネクタイ挟み裏部材の一方の面にずれ防止裏突起を備えたネクタイ挟み裏部材と、ネクタイ挟み表部材の面とネクタイ挟み裏部材のずれ防止裏突起のある面が向き合うように、ネクタイ挟み表部材とネクタイ挟み裏部材を固定するためのネクタイ挟み接合部材とを備えたネクタイ保護具及び保護具において、ずれ防止裏突起とネクタイ挟み表部材の隙間はネクタイ挟み表部材とネクタイ挟み裏部材の隙間より狭い隙間とすることと、
ネクタイ挟み表部材とネクタイ挟み裏部材の隙間にネクタイを挟み込み、ネクタイを保護するように構成されており、ネクタイ着用時のネクタイの大剣の特に両角部及び、先端部を保護するための具に関するものである。
【００４４】
本発明のネクタイ保護具及び保護具におけるずれ防止裏突起は、ネクタイ挟み表部材のずれ防止裏突起に向き合う面より摩擦抵抗が大きい状態の面をなしていることを特徴とする。
【００４５】
本発明のネクタイ保護具及び保護具におけるネクタイ挟み裏部材のずれ防止裏突起を備えた面は、ネクタイ挟み裏部材と向き合うネクタイ挟み表部材の面より摩擦抵抗が大きい状態の面をなしていることを特徴とする。
【００４６】
本発明のネクタイ保護具及び保護具におけるずれ防止裏突起は、かえしを設けていることを特徴とする。
【００４７】
本発明のネクタイ保護具及び保護具は、ネクタイ挟み裏部材に脱落防止チェーンを取り付け、脱落防止チェーンの片方の先端に止め具を取り付けたことを特徴とする。
【００４８】
本発明のネクタイ保護具及び保護具は、ネクタイ挟み裏部材に縫いつけ用糸穴を設けたことを特徴とする。
【００４９】
本発明のネクタイ保護具及び保護具は、ネクタイ挟み表部材に対して、ずれ防止表突起を設けたことを特徴とする。
【００５０】
本発明のネクタイ保護具及び保護具は、ネクタイ以外の擦れを防止したいものや擦れを覆い隠したいものに対しても装着可能なことを特徴とする。
【００５１】
図１で示すように、本発明のネクタイ保護具及び保護具の一例の基本的構成を示した斜視図である。ネクタイ挟み表部材２ａと、ネクタイ挟み裏部材２ｂの一方の面に、ずれ防止裏突起３ｂを備えたネクタイ挟み裏部材２ｂと、ネクタイ挟み表部材２ａとネクタイ挟み裏部材２ｂを接合するためのネクタイ挟み接合部材４と、ネクタイ挟み表部材２ａとネクタイ挟み裏部材２ｂが隙間を空けてネクタイ挟み表部材２ａとネクタイ挟み裏部材２ｂのずれ防止裏突起３ｂが接触しないように向き合っていることと、ネクタイ挟み表部材２ａとネクタイ挟み裏部材２ｂがネクタイ挟み接合部材４で接合する構成となっている。
【００５２】
図２で示すように、本発明のネクタイ保護具及び保護具の一例の基本的構成を示した正面図１である。ずれ防止裏突起３ｂがネクタイ挟み表部材側２ｂに備えており、ネクタイ挟み表部材２ａとネクタイ挟み裏部材２ｂの左側の一部がネクタイ挟み接合部材４で接合する構成となっている。
【００５３】
図３で示すように、本発明のネクタイ保護具及び保護具の一例の基本的構成を示した下面図１である。ネクタイ挟み表部材２ａとずれ防止裏突起３ｂを備えたネクタイ挟み裏部材２ｂが向き合っていることと、ずれ防止裏突起３ｂとネクタイ挟み表部材２ａの間にネクタイ挟み隙間部ｄがあることと、ネクタイ挟み表部材２ａとネクタイ挟み裏部材２ｂの間がネクタイ挟み接合部材４で接合する構成をしている。
【００５４】
図４で示すように、本発明のネクタイ保護具及び保護具の一例の基本的構成を示した右側面図１である。ネクタイ挟み表部材２ａとネクタイ挟み裏部材２ｂとそれに付いた脱落防止裏部材３ｂがあり、ネクタイ挟み表部材２ａと脱落防止裏部材３ｂが向き合い、ずれ防止裏突起３ｂが、ネクタイ挟み表部材２ａに接触してない構成をしている。
【００５５】
図５で示すように、図３の線ｅ−ｅ´に沿って切り、イからの断面図１である。ネクタイ挟み表部材２ａと、ネクタイ挟み接合部材４が切断された構成をしている。
【００５６】
図６で示すように、図３の線ｅ−ｅ´に沿って切り、ロからの断面図２である。ネクタイ挟み裏部材２ｂと、ネクタイ挟み接合部材４が切断されていることと、ネクタイ挟み裏部材２ｂに脱落防止裏部材３ｂが付いていることと、脱落防止裏部材３ｂの摩擦抵抗が大きい状態の面の構成をしている。
【００５７】
図７で示すように、ネクタイの大剣部にネクタイ保護具及び保護具を装着した実施例の正面図１である。ネクタイの大剣の根元部ｃと小剣通し１２があるネクタイの大剣１１のネクタイの大剣の両角部ａ及び、ネクタイの大剣の先端部ｂにネクタイ保護具及び保護具１を取り付けたネクタイ装着時の実施例である。取り付け個数は、特定しない。
【００５８】
図８で示すように、ネクタイの大剣部にネクタイ保護具及び保護具を装着した実施例の右側面図１である。ネクタイの大剣の根元部ｃと小剣通し１２があるネクタイの大剣１１のネクタイの大剣の両角部ａ及び、ネクタイの大剣の先端部ｂにネクタイ保護具及び保護具１を取り付けたネクタイ装着時の実施例である。取り付け個数は、特定しない。
【００５９】
図９で示すように、ネクタイの大剣部にネクタイ保護具及び保護具を装着した実施例の正面図２である。ネクタイの大剣の根元部ｃと小剣通し１２があるネクタイの大剣１１のネクタイの大剣の両角部ａにのみネクタイ保護具及び保護具１を取り付けたネクタイ装着時の実施例である。取り付け個数は、特定しない。
【００６０】
図１０で示すように、ネクタイの大剣部にネクタイ保護具及び保護具を装着した実施例の正面図３である。ネクタイの大剣の根元部ｃと小剣通し１２があるネクタイの大剣１１のネクタイの大剣の先端部ｂにのみネクタイ保護具及び保護具１を取り付けたネクタイ装着時の実施例である。取り付け個数は、特定しない。
【００６１】
図１１で示すように、本発明のネクタイ保護具及び保護具の一例の構成を示した正面図２である。ネクタイ挟み裏部材２ｂとずれ防止裏突起３ｂとネクタイ挟み接合部材４で構成されていることと、ずれ防止裏突起３ｂの摩擦抵抗が大きい構成となっている。
【００６２】
図１２で示すように、本発明のネクタイ保護具及び保護具の一例の構成を示した正面図３である。ネクタイ挟み裏部材２ｂとずれ防止裏突起３ｂとネクタイ挟み接合部材４で構成されていることと、ネクタイ挟み表部材２ｂの面とずれ防止裏突起３ｂの摩擦抵抗が大きい構成となっている。
【００６３】
図１３で示すように、本発明のネクタイ保護具及び保護具の一例の構成を示した正面図４である。ネクタイ挟み裏部材２ｂとずれ防止裏突起３ｂとネクタイ挟み接合部材４の構成されていることと、ずれ防止裏突起３ｂの形状は、三角錐で頂点がネクタイ挟み接合部材４側の下部側にあるかえしが備わった構成となっている。
【００６４】
図１４で示すように、本発明のネクタイ保護具及び保護具の一例の構成を示した下面図２である。ネクタイ挟み裏部材２ｂと落防止裏突起３ｂとネクタイ挟み接合部材４の構成されていることと、ずれ防止裏突起３ｂの形状は、三角錐で頂点がネクタイ挟み接合部材４側にあるかえしが備わった構成となっている。
【００６５】
図１５で示すように、本発明のネクタイ保護具及び保護具の一例の構成を示した右側面図２である。ネクタイ挟み裏部材２ｂと落防止裏突起３ｂとネクタイ挟み接合部材４の構成されていることと、ずれ防止裏突起３ｂの形状は、三角錐で頂点が下部側にあるかえしが備わった構成となっている。
【００６６】
図１６で示すように、本発明のネクタイ保護具及び保護具の一例の構成を示した正面図５である。ネクタイ挟み裏部材２ｂに脱落防止チェーン５と脱落防止チェーン５の一方に止め具６を取り付けた構成をしている。
【００６７】
図１７で示すように、本発明のネクタイ保護具及び保護具の一例の構成を示した正面図６である。ネクタイ保護具及び保護具１をネクタイに縫いつけるためにネクタイ保護具及び保護具１のネクタイ挟み裏部材２ｂに縫いつけ用糸穴７を設けた構成である。
【００６８】
図１８で示すように、本発明のネクタイ保護具及び保護具の一例の構成を示した背面図１である。ネクタイ挟み表部材２ａにずれ防止表突起３ａを備えた構成である。
【００６９】
図１９で示すように、本発明のネクタイ保護具及び保護具の一例の構成を示した正面図６である。ずれ防止表突起３ａとずれ防止裏突起３ｂを複数備えていることと、ずれ防止表突起３ａとずれ防止裏突起３ｂが接触しないようにずれ防止表突起３ａとずれ防止裏突起３ｂを交互にずらして配置していることと、ネクタイ挟み表部材２ａとネクタイ挟み裏部材２ｂの左側の一部がネクタイ挟み接合部材４で接合する構成となっている。
【００７０】
図２０で示すように、本発明のネクタイ保護具及び保護具の一例の構成を示した下面図３である。ずれ防止表突起３ａを備えたネクタイ挟み表部材２ａとずれ防止裏突起３ｂが備えたネクタイ挟み裏部材２ｂが向き合っていることと、ずれ防止表突起３ａとずれ防止裏突起３ｂを複数備えていることと、ずれ防止表突起３ａとずれ防止裏突起３ｂが間隔を空けて交互にずらして配置してあることと、ずれ防止表突起３ａとネクタイ挟み裏部材２ｂの間にネクタイ挟み隙間部ｄがあることと、ずれ防止裏突起３ｂとネクタイ挟み表部材２ａの間にネクタイ挟み隙間部ｄがあることと、ネクタイ挟み表部材２ａとネクタイ挟み裏部材２ｂの間がネクタイ挟み接合部材４で接合する構成をしている。
【００７１】
図２１で示すように、本発明のネクタイ保護具及び保護具の一例の構成を示した右側面図３である。ずれ防止表突起３ａを備えたネクタイ挟み表部材２ａとずれ防止裏突起３ｂを備えたネクタイ挟み裏部材２ｂが向き合っていることと、ずれ防止表突起３ａとネクタイ挟み裏部材２ｂの間にネクタイ挟み隙間部ｄがあることと、ずれ防止裏突起３ｂとネクタイ挟み表部材２ａの間にネクタイ挟み隙間部ｄがあることと、ネクタイ挟み表部材２ａとネクタイ挟み裏部材２ｂの間がネクタイ挟み接合部材４で接合する構成をしている。
【００７２】
図２２で示すように、ネクタイの大剣部にネクタイ保護具及び保護具を装着した実施例の背面図１である。ネクタイの大剣の根元部ｃと小剣通し１２があるネクタイの大剣１１のネクタイの大剣の両角部ａ及び、ネクタイの大剣の先端部ｂにネクタイ保護具及び保護具１を取り付けて、それぞれのネクタイ保護具及び保護具１に脱落防止チェーン５とその先端に止め具６を取り付けて、更に、それぞれの止め具６を小剣通しに取り付けたネクタイ装着時の実施例である。
【００７３】
図２３で示すように、ネクタイの大剣部にネクタイ保護具及び保護具を装着した実施例の背面図２である。ネクタイの大剣の根元部ｃと小剣通し１２があるネクタイの大剣１１のネクタイの大剣の両角部ａ及び、ネクタイの大剣の先端部ｂにネクタイ保護具及び保護具１を複数取り付けて、それぞれのネクタイ保護具及び保護具１に脱落防止チェーン５を取り付けて、複数のネクタイ保護具及び保護具１の脱落防止チェーン５を１つに統合して、その脱落防止チェーン５の先端に止め具６を取り付けた、止め具６を小剣通しに取り付けたネクタイ装着時の実施例である。
【００７４】
図２４で示すように、本発明のネクタイ保護具及び保護具の一例の構成を示した正面図６である。ネクタイ挟み接合部材に板状の金属その他の弾力を持った板バネをＵ字に曲げたものを用いた場合の構成をしている。ずれ防止裏突起３ｂがＸ字に交差することと、ネクタイ挟み表部材２ａとネクタイ挟み裏部材２ｂの間をネクタイ挟み接合部材４で接合する構成をしている。
【００７５】
図２５で示すように、本発明のネクタイ保護具及び保護具の一例の構成を示した下面図５である。ネクタイ挟み接合部材４に板状の金属その他の弾力を持った板バネをＵ字に曲げたものを用いた場合の構成をしている。板状のバネをＵ字型に曲げてその両端の一方の平らな部分をネクタイ挟み表部材２ａに取付け、もう一方の平らな部分をネクタイ挟み裏部材２ｂに取付けていることと、ネクタイ挟み裏部材２ｂにずれ防止裏突起３ｂが備えていることと、ずれ防止裏突起３ｂがＸ字に交差していることと，ネクタイ挟み表部材２ａにずれ防止裏突起３ｂが向き合っていることと、ずれ防止裏突起３ｂとネクタイ挟み表部材２ａの間にネクタイ挟み隙間部ｄがあることと、ネクタイ挟み表部材２ａとネクタイ挟み裏部材２ｂの間がネクタイ挟み接合部材４で接合する構成をしている。
【００７６】
図２６で示すように、本発明のネクタイ保護具及び保護具の一例の構成を示した右側面図４である。ネクタイ挟み接合部材４に板状の金属その他の弾力を持った板バネをＵ字に曲げたものを用いた場合の構成をしている。板状のバネをＵ字型に曲げてその両端の一方の平らな部分をネクタイ挟み表部材２ａに取付け、もう一方の平らな部分をネクタイ挟み裏部材２ｂに取付けることと、ネクタイ挟み裏部材２ｂにずれ防止裏突起３ｂが備えていることと、ネクタイ挟み表部材２ａにずれ防止裏突起３ｂが向き合っていることと、ずれ防止裏突起３ｂとネクタイ挟み表部材２ａの間にネクタイ挟み隙間部ｄがあることと、ネクタイ挟み表部材２ａとネクタイ挟み裏部材２ｂの間がネクタイ挟み接合部材４で接合する構成をしている。
【００７７】
図２７で示すように、本発明のネクタイ保護具及び保護具の一例の構成を示した正面図７である。ネクタイ挟み表部材２ａとネクタイ挟み接合部材４とネクタイ挟み裏部材２ｂを一体化させた場合の構成をしている。ネクタイ挟み表部材２ａとネクタイ挟み裏部材２ｂの間をネクタイ挟み接合部材４で接合し一体化することと、ずれ防止裏突起３ｂがＸ字に交差する構成をしている。
【００７８】
図２８で示すように、本発明のネクタイ保護具及び保護具の一例の構成を示した下面図６である。ネクタイ挟み表部材２ａとネクタイ挟み接合部材４とネクタイ挟み裏部材２ｂを一体化させ、ネクタイ挟み表部材２ａとネクタイ挟み裏部材２ｂが向き合うようにネクタイ挟み接合部材４の中央部をＵ字型に曲げた場合の構成をしている。ネクタイ挟み接合部材の中央部分がＵ字型に曲げられていることと、ネクタイ挟み裏部材２ｂにずれ防止裏突起３ｂが備えていることと、ネクタイ挟み表部材２ａにずれ防止裏突起３ｂが向き合っていることと、ずれ防止裏突起３ｂとネクタイ挟み表部材２ａの間にネクタイ挟み隙間部ｄがあることと、ネクタイ挟み表部材２ａとネクタイ挟み裏部材２ｂの間がネクタイ挟み接合部材４がＵ字型に曲げられて接合する構成をしている。
【００７９】
図２９で示すように、本発明のネクタイ保護具及び保護具の一例の構成を示した右側面図５である。ネクタイ挟み接合部材４の中央部分をＵ字型に曲げた場合の構成をしている。ネクタイ挟み裏部材２ｂにずれ防止裏突起３ｂが備えていることと、ネクタイ挟み表部材２ａにずれ防止裏突起３ｂが向き合っていることと、ずれ防止裏突起３ｂとネクタイ挟み表部材２ａの間にネクタイ挟み隙間部ｄがあることと、ネクタイ挟み表部材２ａとネクタイ挟み裏部材２ｂの間がネクタイ挟み接合部材４で接合する構成をしている。
【００８０】
本発明のネクタイ保護具及び保護具の材質は、重さが軽く、適度に弾力があり、コストが安く、加工がしやすいためプラスチック類が良い。
【００８１】
本発明のずれ防止裏突起の材質は、面の摩擦抵抗が大きければプラスチック以外の部材でも良く、ずれ防止裏突起の断面の形状は、ずれ防止裏突起の断面が半円だけでなく、三角形や四角形の他、多角形などでも良い。
【００８２】
本発明のずれ防止裏突起の個数は、1個以上複数でも良い。
【００８３】
本発明のずれ防止表突起の個数は、０個以上複数でも良い。
【００８４】
本発明のネクタイ挟み接合部材の材質は、バネやゴムなど弾力のある部材でも良い。
【００８５】
本発明のネクタイ保護具及び保護具の脱落防止チェーンは、ネクタイ保護具及び保護具と止め具をつなぐ事が出来るものであればチェーン以外のものでも良い。
【その他の形態】
【００８６】
本発明のネクタイ保護具及び保護具の材質は、プラスチック類が良いが、金属や宝石や七宝焼きや漆塗りなどでも良い。
【００８７】
本発明のネクタイ保護具及び保護具の色は、例えば、有色や透明や半透明などでも良い。
【００８８】
本発明のネクタイ保護具及び保護具は、ネクタイの大剣の先端部に取付けられるもののみハート型や丸型など形状を変えても良い。
【００８９】
本発明のネクタイ挟み表部材の形状及びデザインは、例えば、円形や多角形や動物や植物や人気キャラクタや絵やブランド名などが描かれたものや、ドーム型や宝石のカットのような立体的な形状でも良い。
【００９０】
本発明のネクタイ挟み表部材のずれ防止表突起のない面、すなわちネクタイ保護具及び保護具の装着時の表側の面に金属や宝石や七宝焼きや漆塗りなどを取り付けても良い。
【００９１】
本発明のネクタイ保護具及び保護具は、ネクタイ保護具及び保護具の脱落防止チェーンに取り付けた止め具をネクタイの小剣通し以外にシャツのボタンに止めるようにしても良い。
【００９２】
本発明のネクタイ保護具及び保護具は、ネクタイ保護具及び保護具をネクタイの大剣の両角部または先端部近くより下方向よりスライドさせてネクタイを挟み込むようにして装着することが望ましい。
【００９３】
本発明のネクタイ保護具及び保護具は、ネクタイ挟み表部材とネクタイ挟み裏部材の隙間を広げてネクタイを挟み込むようにして装着しても良い。
【００９４】
本発明のネクタイ保護具及び保護具は、ネクタイの大剣の両角部、先端部への使用にとらわれず、ネクタイ以外の擦れを防止したいものや擦れを覆い隠したいものなどに装着しても良い。
【００９５】
本発明のネクタイ保護具及び保護具は、ネクタイ挟み表部材とネクタイ挟み裏部材は、それぞれ別々のデザインとしても良い。
【００９６】
本発明のずれ防止裏突起または、ずれ防止表突起の形状は、I字型以外にも丸形やドーナツ形や多角形やＸ字型などどのような形状でも良い。
【００９７】
本発明のネクタイ保護具及び保護具のネクタイ挟み接合部材に板状の金属その他の弾力を持った板バネを使用した場合は、板状の部材をＵ字型に曲げてその両端の一方の平らな部分をネクタイ挟み表部材に取付け、もう一方の平らな部分をネクタイ挟み裏部材に取付ける。
ネクタイ挟み接合部材に板状の金属その他の弾力を持ったバネを使用することで、ネクタイ挟み表部材とネクタイ挟み裏部材を強く挟むことが可能となり、摩擦力が増え、ネクタイ保護具及び保護具を着用した位置からのずれを防止することができる。また、着用時にネクタイの角部分からネクタイ挟み結合部材の厚みの分だけはみ出ていたが、ネクタイ挟み結合部材の幅が板バネの板の厚みとなるためはみ出る部分を小さくできる。着用時にネクタイ保護具及び保護具をネクタイの角部をスライドさせることなく、ネクタイ挟み表部材とネクタイ挟み裏部材の隙間を開くことで着用が可能となる。
【００９８】
本発明のネクタイ保護具及び保護具の形成方法は、ネクタイ挟み表部材とネクタイ挟み裏部材とネクタイ挟み接合部材を一体化して形成してもよい。ネクタイ挟み表部材とネクタイ挟み接合部材とネクタイ挟み裏部材を一体化させ形成した場合は、ネクタイ挟み表部材とネクタイ挟み裏部材が向き合うようにネクタイ挟み接合部材の中央部をＵ字型に曲げて形成する。
【符号の説明】
【００９９】
１      ネクタイ保護具及び保護具
２ａ    ネクタイ挟み表部材
２ｂ    ネクタイ挟み裏部材
３ａ    ずれ防止表突起
３ｂ    ずれ防止裏突起
４      ネクタイ挟み接合部材
５      脱落防止チェーン
６      止め具
７      縫いつけ用糸穴 
１１    ネクタイの大剣
１２    ネクタイの小剣通し
ａ      ネクタイの大剣の両角部
ｂ      ネクタイの大剣の先端部
ｃ      ネクタイの大剣の根元部
ｄ      ネクタイ挟み隙間部
ｅ      切断線
ｅ´    切断線
イ      ネクタイ挟み裏部材側からの矢印
ロ      ネクタイ挟み表部材側からの矢印
【図１】
2011231443.tif 000003
【図２】
2011231443.tif 000004
【図３】
2011231443.tif 000005
【図４】
2011231443.tif 000006
【図７】
2011231443.tif 000007
【図８】
2011231443.tif 000008
【図９】
2011231443.tif 000009
【図１０】
2011231443.tif 000010
【図１３】
2011231443.tif 000011
【図１４】
2011231443.tif 000012
【図１５】
2011231443.tif 000013
【図１６】
2011231443.tif 000014
【図１７】
2011231443.tif 000015
【図１８】
2011231443.tif 000016
【図２２】
2011231443.tif 000017
【図２３】
2011231443.tif 000018
【図５】
2011231443.tif 000019
【図６】
2011231443.tif 000020
【図１１】
2011231443.tif 000021
【図１２】
2011231443.tif 000022
【図１９】
2011231443.tif 000023
【図２０】
2011231443.tif 000024
【図２１】
2011231443.tif 000025
【図２４】
2011231443.tif 000026
【図２５】
2011231443.tif 000027
【図２６】
2011231443.tif 000028
【図２７】
2011231443.tif 000029
【図２８】
2011231443.tif 000030
【図２９】
2011231443.tif 000031